(57)【要約】【課題】見栄えのよい階段構造を提供する。【解決手段】建物１０には、耐力壁１１〜１４により仕切られたリビング１５が設けられている。リビング１５には、耐力壁１３から離間した位置で当該耐力壁１３と対面する階段壁１６が立設され、その階段壁１６には折り返し階段２０が設けられている。階段２０のうち踊り場２１からリビング１５の床面１５ａまでの部分（下部）には、片持ち式の階段構造が採用されている。この階段２０の下部において、階段壁１６には貫通孔２２が形成され、貫通孔２２には枠体２３が嵌め込まれている。枠体２３の内側には踏板２６が貫通している。踏板２６の耐力壁１３側の端部２６ａは、当該耐力壁１３に設けられた角材２４，２５に狭持されている。【選択図】図１
2009280983.tif 000002
【特許請求の範囲】
【請求項１】
上下階間の昇降領域の側部に立設され、当該上下階を繋ぐ面材と、
前記面材に形成され、前記昇降領域側から前記面材を挟んで当該昇降領域とは反対側に位置する反昇降領域側へ貫通する複数の貫通孔と、
前記貫通孔に挿通され、一部分が前記昇降領域に他の部分が前記反昇降領域に配置されるように延びる複数の踏板と、
前記面材に設けられており、前記貫通孔内又は当該貫通孔近傍にて前記踏板を支持する第１支持部と、
前記面材を挟んで前記反昇降領域側へ突出している前記踏板を、前記面材から反昇降領域側へ離間した位置にて支持する第２支持部と、
を備えていることを特徴とする階段構造。
【請求項２】
前記踏板は、下地材と、その下地材の少なくとも前記昇降領域に露出されている表面に形成された仕上材と、を含んで構成されている請求項１に記載の階段構造。
【請求項３】
前記面材には、前記反昇降領域側の光を前記昇降領域側へ導く導光部が形成されている請求項１又は２に記載の階段構造。
【請求項４】
前記面材から前記反昇降領域側へ離間した位置に、前記面材と対面させて立設される第２面材を備え、
前記第２面材に前記第２支持部が設けられている請求項１乃至３のいずれか１項に記載の階段構造。
【請求項５】
前記踏板のうち前記面材と前記第２面材との間の空間に配置されている部分は、棚板とされ又は棚板の受け部とされている請求項４に記載の階段構造。
【請求項６】
前記面材と前記第２面材との間の空間は、前記上下階を繋ぐ設備用空間とされている請求項４に記載の階段構造。
【請求項７】
前記面材の上部に形成され、前記昇降領域側に開口する上部開口部と、
前記反昇降領域側に設けられ、前記上部開口部を通して前記昇降領域側の空気を吸入し、吸入した空気をそれよりも下方において前記昇降領域側へ吹き出す第１送風部と、
前記面材の下部に形成され、前記昇降領域側に開口する下部開口部と、
前記反昇降領域側に設けられ、前記下部開口部を通して前記昇降領域側の空気を吸入し、吸入した空気をそれよりも上方において前記昇降領域側へ吹き出す第２送風部と、
を更に備えている請求項１乃至６のいずれか１項に記載の階段構造。
【請求項８】
前記両送風部は、前記面材に前記昇降領域側へ開口するとともに前記各踏板上に空気を吹き出す吹き出し口を備えている請求項７に記載の階段構造。
【発明の詳細な説明】
【技術分野】
【０００１】
本発明は、建物に設けられる階段構造に関する。
【背景技術】
【０００２】
上下階を有する建物では、上下階を行き来する昇降領域に階段が設置されている。この階段の一種として、踏板を階段壁に片持ち支持させた片持ち式階段が知られている。片持ち式階段では、踏板の支持強度を維持する必要性が高くなるため、例えばＲＣ造の階段壁に踏板を一体的に設ける等、踏板の一端を階段壁に剛接合させている。
【０００３】
ただし、建物の種類によってはＲＣ造の階段壁を必ずしも採用できるわけではないため、例えば大型のささら桁を利用して踏板を支持するようにしたり、特許文献１に示されるように階段壁に支持アングルを取り付けてその支持アングルを踏板箱で覆ったりする等、別の工夫もなされている。
【特許文献１】特開２００６−２００２９３号公報
【発明の開示】
【発明が解決しようとする課題】
【０００４】
しかしながら、上記従来の階段構造では、十分な支持強度を得るために階段壁と踏板との接合部位において複雑な機構が露出してしまい、片持ち式階段を見栄えをよくするために採用したにもかかわらず、見栄えがよくないものとなっていた。
【０００５】
本発明は、このような事情に鑑みてなされたものであり、見栄えのよい階段構造を提供することを主たる目的とする。
【０００６】
さらに、高齢化の時代を迎え、安全性の観点からは、踏板面や昇降領域を明るくすること、住環境の観点からは、専用の空調機を設置しない昇降領域の温度環境を向上させることが、階段構造における課題となっている。本発明は、昇降領域を明るくすることや、昇降領域の温度環境を向上することができる階段構造を提供することも併せて目的とする。
【課題を解決するための手段】
【０００７】
上記課題を解決するために、第１の発明では、上下階間の昇降領域の側部に立設され、当該上下階を繋ぐ面材と、面材に形成され、昇降領域側から面材を挟んで当該昇降領域とは反対側に位置する反昇降領域側へ貫通する複数の貫通孔と、貫通孔に挿通され、一部分が昇降領域に他の部分が反昇降領域に配置されるように延びる複数の踏板と、面材に設けられており、貫通孔内又は当該貫通孔近傍にて踏板を支持する第１支持部と、面材を挟んで反昇降領域側へ突出している踏板を、面材から反昇降領域側へ離間した位置にて支持する第２支持部と、を備えていることを特徴とする。
【０００８】
第１の発明によれば、面材に設けられている第１支持部と、面材から反昇降領域側へ離間している第２支持部とにより、踏板が支持される。その結果、片持ち式の階段であっても、面材と踏板との接合部位に複雑な機構が露出しない。また、踏板の両端の少なくとも一方に本発明の上記階段構造を採用することにより、踏板の支持部を増やすことができる。これにより、上下階を繋ぐ面材の構造負担を軽減することができる。これにより、踏板及び面材の接合部分の見栄えをよくすることができ、ひいては昇降領域の見栄えをよくすることができる。
【０００９】
第１の発明においては、踏板は、下地材と、その下地材の少なくとも昇降領域に露出されている表面に形成された仕上材と、を含んで構成されることが好ましい（第２の発明）。このように構成すれば、下地材により踏板としての強度を確保しつつ、仕上材により意匠性を高めることができる。
【００１０】
第３の発明では、面材には、反昇降領域側の光を昇降領域側へ導く導光部が形成されている。このように構成すれば、反昇降領域側の光が導光部により昇降領域側へ導かれて昇降領域が照明される。この場合、階段照明の設置に伴う昇降領域の見栄えの悪化を抑制することができる。
【００１１】
なお、各段の踏板を照明する階段照明として、踏板毎に光源を設けるものが知られているが、この場合、踏板毎に光源を設置する工数や、これらの光源に配線をする工数を要し、階段照明の施工が煩雑なものとなる。この点、第３の発明において、階段の踏板数よりも少ない光源で反昇降領域を照明し、反昇降領域側の光を導光部により昇降領域側へ導くようにすれば、階段照明用の照明装置を削減し、ひいては階段照明の施工時の工数を削減することができる。さらに、階段照明用の光源とは別の光源（太陽光や別の用途を主とした照明など）の光を導光部により昇降領域側へ導くこともできる。
【００１２】
第４の発明では、第１乃至第４のいずれかの発明において、面材から反昇降領域側へ離間した位置に、面材と対面させて立設される第２面材を備え、第２面材に第２支持部が設けられている。
【００１３】
第４の発明によれば、面材及び第２面材のいずれについても要求強度が低くなる利点がある。しかも、第４の発明では面材と第２面材との間に空間が形成される。そのため、この両壁間の空間を各種用途に利用することができる効果もある。
【００１４】
例えば、第５の発明では、踏板のうち面材と第２面材との間の空間に配置されている部分は、棚板とされ又は棚板の受け部とされている。この場合、両壁間の空間を棚の設置空間として有効利用することができる。ここで棚には、収納棚及び飾り棚が含まれる。
【００１５】
別の用途として、第６の発明では、面材と第２面材との間の空間は、上下階を繋ぐ設備用空間とされている。この場合、両壁間の空間に給水管や排水管、ガス管、電気配線を収容することできる。特に、第６の発明を直線階段に適用した場合には、両壁間の空間は下階の床面から天井面まで延びることとなる。この場合、両壁間の空間を有効利用して給水管や排水管、ガス管、電気配線を上下階に通すことができる。
【００１６】
ここで、建物内では、暖気が上昇し冷気が降下することにより、その上部ほど気温が高くなる。これにより居住者に不快感を与えることが考えられる。特に、居住者が上下階を昇降する昇降領域は上下階に繋がる領域であるから、上下の温度差が顕著となって居住者に不快感を与えることが考えられる。
【００１７】
この点、第７の発明では、面材の上部に形成され、昇降領域側に開口する上部開口部と、反昇降領域側に設けられ、上部開口部を通して昇降領域側の空気を吸入し、吸入した空気をそれよりも下方において昇降領域側へ吹き出す第１送風部と、面材の下部に形成され、昇降領域側に開口する下部開口部と、反昇降領域側に設けられ、下部開口部を通して昇降領域側の空気を吸入し、吸入した空気をそれよりも上方において昇降領域側へ吹き出す第２送風部と、を更に備えている。
【００１８】
この第７の発明によれば、第１送風部により昇降領域の上部の空気をそれよりも下方へ供給することや、第２送風部により昇降領域の下部の空気をそれよりも上方へ供給することによって、昇降領域の上下の気温差を低減することができる。これにより、階段の昇降に伴う居住者の体感温度の変化を低減することができる。
【００１９】
特に、面材が下階の床面から上階の天井面まで延びるものである場合には、上部開口部を上階の天井面近傍に形成し、下部開口部を下階の床面近傍に形成することが好ましい。この場合、昇降領域において、上階の天井面付近の空気の温度が最も高く、下階の床面付近の空気の温度が最も低くなることから、第１送風部により上階の天井面付近の空気をそれよりも下方へ供給し、第２送風部により下階の床面付近の空気をそれよりも上方へ供給することにより、上記体感温度の変化を効果的に低減することができる。
【００２０】
なお、第４の発明で示された面材と第２面材との間の空間を両送風部の設置空間として利用すれば、両送風部の設置に伴って昇降領域側の見栄えが悪くなることはない。
【００２１】
第８の発明では、第７の発明において、両送風部には、面材に昇降領域側へ開口するとともに各踏板上に空気を吹き出す吹き出し口が備えられている。
【００２２】
この第８の発明によれば、上部開口部及び下部開口部を通して吸入した空気を吹き出し口から各踏板上に吹き出すことにより、各踏板の上面（踏板面）の温度を快適なものとすることができる。特に、面材に設けた吹き出し口から、すなわち各踏板の近傍から空気を吹き出すことにより、各踏板上面の温度を効果的に調整することができる。
【発明を実施するための最良の形態】
【００２３】
（第１実施形態）
以下、第１実施形態について図面を参照しつつ説明する。なお、図１は、建物１０の概要を示す斜視図である。
【００２４】
建物１０は、複数階建ての建物であり、上下階への昇降を可能とする階段２０が設けられている。本実施形態では、建物１０内に耐力壁１１，１２，１３，１４が立設されている。耐力壁１１〜１４は、所定間隔に配設された縦材及び横材を含んで構成されている。そして、耐力壁１１〜１４に仕切られて居室、本実施形態ではリビング１５が形成されている。リビング１５には、耐力壁１３から離間した位置で当該耐力壁１３と対面する階段壁１６が立設されている。面材としての階段壁１６は、耐力壁１３と同様に縦材及び横材を含んで構成されている。階段壁１６に階段２０の踏板２６が設けられている。
【００２５】
階段２０は折り返し階段である。階段２０うち上階から踊り場２１までの部分（上部）には、両持ち式の階段構造が採用されている。すなわち、図示しない各段の踏板が、階段壁１６と耐力壁１３との間に渡されて、両壁１３，１６に段違いに固定されている。
【００２６】
一方、階段２０のうち踊り場２１からリビング１５の床面１５ａまでの部分（下部）には、片持ち式の階段構造が採用されている。この階段２０の下部においては、階段壁１６を挟んで耐力壁１３とは反対側の領域が昇降スペースＳ１となっている。
【００２７】
以下、階段２０の下部について図１及び図２を参照しつつ説明する。図２において、（ａ）及び（ｂ）は、それぞれ階段２０の下部の踏板のうち下から２段目の踏板の近傍の縦断断面図及び横断面図である。
【００２８】
図２に示す階段壁１６には、昇降スペースＳ１側から当該階段壁１６を挟んで昇降スペースＳ１とは反対側へ貫通する矩形状の貫通孔２２が形成されている。貫通孔２２は、その下側の内壁と階段壁１６の横材の上面とが同一水平面上に位置するように配置されている。この貫通孔２２には、枠体２３が嵌め込まれて釘やネジやボルトなどの固定手段により固定されている。これにより、枠２３の下部が階段壁１６の横材により支持されることとなる。
【００２９】
耐力壁１３には角材２４，２５が水平方向に延設されている。角材２４は貫通孔２２の水平位置よりも僅か上方に耐力壁１３の横材と水平方向に並ぶように配置されている。角材２５は貫通孔２２の水平位置よりも僅か下方に耐力壁１３の横材と水平方向に並んで配置されている。両角材２４，２５の上下方向の間隔は、踏板２６の厚さよりも大きくなっている。角材２４，２５は、耐力壁１３の横材に釘やネジやボルトなどの固定手段により固定されている。これにより、両角材２４，２５が耐力壁１３の横材に支持されることとなる。
【００３０】
上記枠体２３の内側には踏板２６が貫通している。そして、踏板２６の階段壁１６を挟んで昇降スペースＳ１とは反対側の端部２６ａは、角材２４，２５により狭持されている。これにより、踏板２６は、枠体２３及び角材２４，２５により支持されるようになっている。この場合、枠体２３が「第１支持部」に相当し、角材２４，２５が「第２支持部」に相当し、耐力壁１３が「第２面材」に相当する。
【００３１】
踏板２６は下地材２７と仕上材２８とから構成されている。下地材２７は、長尺状の板材であり、踏板２６としての強度を確保すべく強度のある材料（例えば金属）で形成されている。仕上材２８は下地材２７のうち階段壁１６から昇降スペースＳ１に露出している部分よりも一周り大きく、仕上材２８の下部には下地材２７との嵌合溝２８ａが形成されている。そして、仕上材２８は、下地材２７の上部に嵌め込まれ、ネジや接着剤などの固定手段により固定されている。これにより、下地材２７の上部の表面が仕上材２８により覆われて仕上材２８の上面が踏板面２９となっている。
【００３２】
階段２０の下部には手摺り３０が設けられている（図１参照）。本実施形態では、最下段の踏板２６や踊り場２１などにそれぞれ支柱３１〜３３が立設されている。詳しくは、支柱３１の下端部３１ａにはその長手方向にボルト孔が形成されている。そして、支柱３１は、下地材２７の昇降スペースＳ１側の端部２７ａとボルトで締結されている。支柱３２，３３にも、支柱３１と同様にボルト孔が形成されている。そして、支柱３２，３３は踊り場２１にボルトで締結されている（図１参照）。支柱３１〜３３には手摺り棒３４が渡されている。
【００３３】
ところで、以上説明した階段２０の下部に採用されている階段構造では、階段壁１６と耐力壁１３との間に壁間スペースＳ２が形成される。そのため、この階段構造を採用した場合には、壁間スペースＳ２を有効利用することが好ましい。
【００３４】
そこで、本実施形態では、下地材２７のうち階段壁１６から壁間スペースＳ２に露出している部分に棚板３５を設けている。詳しくは、棚板３５は下地材２７の短手方向の幅よりも幅広となっており、その下部には下地材２７との嵌合溝が形成されている。そして、棚板３５は、下地材２７の上部に嵌め込まれ、ネジや接着剤などで固定されている。棚板３５は、下地材２７と共に角材２４，２５により狭持されている。これにより、壁間スペースＳ２が収納棚として有効利用されるようになっている。
【００３５】
本実施形態では、壁間スペースＳ２の高さと奥行きの関係から収納棚として使い勝手のよい位置に、当該壁間スペースＳ２の収納棚手前側と収納棚奥側とを仕切る間仕切り壁３６が設けられている。そして、壁間スペースＳ２のうち手前側の空間が上記収納棚として利用されるようになっている。この場合、壁間スペースＳ２のうち奥側の空間は、上記収納棚とは反対側から収納物を出し入れする別の収納棚として利用してもよいし、収納棚以外の用途、例えばパイプスペースとして利用してもよい。
【００３６】
次に、階段２０の下部の施工方法について説明する。階段２０の下部の施工において、まずは、階段壁１６に貫通孔２２を形成し、階段壁１６の貫通孔２２に枠体２３を嵌め込む。また、２つの角材２４，２５のうち下側の角材２５だけを耐力壁１３に固定する。次に、下地材２７を枠体２３の内側を通して階段壁１６を貫通させる。このとき、下地材２７の耐力壁１３側の端部を角材２５上に掛けることにより、踏板２６を安定させることができる。
【００３７】
次に、下地材２７のうち階段壁１６から壁間スペースＳ２に露出している部分に棚板３５を固定し、棚板３５の耐力壁１３側の端部と共に下地材２７の壁間スペースＳ２側の端部を角材２４，２５により挟み込んだ状態で、上側の角材２４を耐力壁１３に固定する。
【００３８】
次に、下地材２７のうち階段壁１６から昇降スペースＳ１に露出している部分に仕上材２８を固定する。次に、下地材２７の昇降スペースＳ１側の端部２７ａに手摺り３０の支柱３１を固定し、踊り場２１に支柱３２，３３を固定する。そして、支柱３１〜３３に手摺り棒３４を取り付ける。
【００３９】
上述した、貫通孔２２を形成する工程、貫通孔２２に枠体２３を嵌め込む工程、及び耐力壁１３に角材２５を固定する工程の全て又はいずれかを工場にて実施し、当該工程実施後の階段壁１６や耐力壁１３を施工現場へ搬入するようにしてもよい。これにより、施工現場での作業を簡略化できる。
【００４０】
以上説明した階段２０の下部のように本発明を片持ち式の階段に適用した場合には、踏板２６が階段壁１６に設けられた枠体２３及び耐力壁１３に設けられた角材２４，２５により支持される。この場合、踏板２６のうち階段壁１６から昇降スペースＳ１に露出している部分に加わる荷重は、階段壁１６と耐力壁１３とに分散されて両壁１３，１６に加わる。すなわち、踏板２６のうち階段壁１６から昇降スペースＳ１に露出している部分に荷重が加わると、階段壁１６には枠体２３を介して下向きの力が加わり、耐力壁１３には上側の角材２４を介して上向きの力が加わる。
【００４１】
以上の構成により、以下に示す有利な効果が得られる。
【００４２】
階段２０の下部において、踏板２６のうち階段壁１６から昇降スペースＳ１に露出している部分に加わる荷重が階段壁１６と耐力壁１３とに分散されて両壁１３，１６に加わるようにした。これにより、階段壁１６に要求される強度を低減することができる。また、各踏板２６と階段壁１６との接合部位に複雑な機構を露出させることなく、階段壁１６に各踏板２６を設けることができる。これにより、各踏板２６と階段壁１６との接合部分の見栄えをよくすることができ、ひいては昇降スペースＳ１の見栄えをよくすることができる。
【００４３】
踏板２６を下地材２７と仕上材２８とによって構成したので、下地材２７に強度負担をさせつつ仕上材２８に意匠性を高める部分を担わせることができる。また、下地材２７よりも幅広の棚板３５を当該下地材２７と共に角材２４，２５により狭持するようにした。そのため、下地材２７に加わる荷重が、棚板３５及び角材２４，２５を介して当該下地材２７の短手方向に分散されて耐力壁１３に加わる。これにより、耐力壁１３に要求される局所的な強度も低減することができる。
【００４４】
（第２実施形態）
第２実施形態は第１実施形態の変形例である。第２実施形態では本発明を螺旋階段に適用している。以下、この螺旋階段について図３及び図４を参照しつつ説明する。図３は螺旋階段の概略構成を示す説明図である。図４において、（ａ）は図３の下から４段目の踏板の上面（Ａ１−Ａ１線参照）における螺旋階段の横断面図、（ｂ）は（ａ）のＡ２−Ａ２線における螺旋階段の縦断面図である。図４（ａ）では、下から３段目までの踏板の図示を省略している。なお、本実施形態の説明では、第１実施形態と実質的に同一の構成要素には第１実施形態と同一符号を付して、これらの構成要素の説明を省略する。
【００４５】
図３に示す階段２２０は円筒状の階段壁１６を備えている。そして、階段２２０では階段壁１６の径方向外側の領域が昇降スペースＳ１として設定されている。図４に示すように、階段壁１６の内側には、当該階段壁１６から離間して支柱２１３が立設されている。支柱２１３には、階段壁１６の貫通孔２２に対応する部分に凹部２１４が形成されている。
【００４６】
貫通孔２２には枠体２３が固定され、その枠体２３の内側には踏板２６が貫通している。踏板２６の階段壁１６を挟んで昇降スペースＳ１とは反対側の端部２６ａは、支柱２１３の凹部２１４に嵌め込まれている。これにより、踏板２６は、枠体２３及び凹部２１４により支持されるようになっている。この場合、凹部２１４が「第２支持部」に相当する。
【００４７】
踏板２６は、第１実施形態と同様に下地材２２７及び仕上材２２８から構成されている。本実施形態では、図４（ａ）に示すように仕上材２２８は、下地材２２７への取付状態で階段壁１６の径方向内側となる一端２２８ａが階段壁１６に密接するように湾曲し、下地材２２７への取付状態で階段壁１６の径方向外側となる他端２２８ｂに向けて次第に幅広となる扇状となっている。この場合、下地材２２７は、第１実施形態の下地材２７のように長尺状とするのではなく、下地材２２７のうち階段壁１６から昇降スペースＳ１に露出している部分を仕上材２２８よりも一周り小さい扇状とすることが好ましい。これにより、仕上材２２８と下地材２２７とを強固に固定することができる。
【００４８】
以上説明したように、本発明の階段構造は螺旋階段にも適用することができる。この場合でも、第１実施形態と同様の有利な効果を得ることができる。なお、階段壁１６によって囲まれた内部空間であるスペースＳ２は、パイプスペースなどに利用することが可能である。
【００４９】
（第３実施形態）
第３実施形態は、本発明の階段構造を階段照明付きの階段に適用した具体例である。以下、第３実施形態の階段について図５を参照しつつ説明する。図５は第３実施形態に係る階段を示す説明図である。本実施形態の説明では、第１実施形態と実質的に同一の構成要素には同実施形態と同一符号を付して、これらの構成要素の説明を省略する。
【００５０】
本実施形態の階段３２０は直線階段である。すなわち、階段３２０の全踏板２６が、第１実施形態の階段２０の下部と同様に、枠体２３及び角材２４，２５により支持されるとともに、階段壁１６から昇降スペースＳ１側に突出して設けられている。
【００５１】
階段壁１６と耐力壁１３との間の壁間スペースＳ２には、階段照明の光源である照明装置３０１が設置されている。本実施形態では、照明装置３０１は壁間スペースＳ２の天井面３０２に取り付けられている。これにより、壁間スペースＳ２が照明可能となっている。
【００５２】
階段壁１６には当該階段壁１６を昇降スペースＳ１側及び壁間スペースＳ２側に貫通する導光部３０３が設けられ、これにより壁間スペースＳ２の光が昇降スペースＳ１へ導かれるようになっている。本実施形態では、各踏板２６の上面と向き合う各枠体２３の内壁に、壁間スペースＳ２から昇降スペースＳ１まで延びる溝２３ａが形成されている。そして、各枠体２３の溝２３ａに導光部３０３が嵌め込まれている。導光部３０３としては、ガラス等の透明な材料で形成されたレンズや光ファイバなどが考えられるが、溝２３ａの内部空間（貫通孔）そのものを導光部としてもよい。
【００５３】
この場合、照明装置３０１を点灯させると、壁間スペースＳ２が照明される。その結果、壁間スペースＳ２の光が導光部３０３を介して昇降スペースＳ１側に導かれ、その光によって各踏板２６の踏板面２９が照明される。これにより、踏板２６の踏み外し事故の防止や、高齢者の階段からの転落事故の防止を図ることができる。
【００５４】
以上説明した構成によれば、第１実施形態と同様の有利な効果に加えて、以下の優れた効果を得ることができる。
【００５５】
壁間スペースＳ２を階段照明の設置スペースとして利用することができる。また、照明装置３０１によって壁間スペースＳ２を照明し、当該壁間スペースＳ２側の光を昇降スペースＳ１側に導いて、当該昇降スペースＳ１を照明するようにしたので、踏板２６毎に照明装置を設ける場合と比較して、照明装置の数を削減することができる。これにより、階段照明の施工において、照明装置の設置や配線の工数削減を図ることができる。さらに、壁間スペースＳ２が収納などの他の用途に用いられている場合には、そこで使用する照明をそのまま利用することができるので、照明の兼用化を図ることができる。
【００５６】
（第４実施形態）
第４実施形態は第３実施形態の変形例である。図６は、第４実施形態の階段を示す説明図である。なお、本実施形態の説明では、第３実施形態と実質的に同一の構成要素には同実施形態と同一符号を付して、これらの構成要素の説明を省略する。
【００５７】
図６に示す階段４２０では、壁間スペースＳ２にチューブライト４０１が設けられている。チューブライト４０１は、透明チューブ内に複数の光源が当該透明チューブの長手方向に配設された照明装置である。チューブライト４０１は、各導光部３０３の壁間スペースＳ２側の端面又はその近傍を通るように配設されている。本実施形態では、チューブライト４０１は階段壁１６に取り付けられている。光源としては、発熱量の少ないＬＥＤを採用することが好ましい。
【００５８】
以上説明した構成によれば、第３実施形態と同様の有利な効果を得ることができる。特に、チューブライト４０１を、各導光部３０３の壁間スペースＳ２側の端面を通るように配設したことから、階段照明の照明ムラを抑制することができる。また、階段壁１６と耐力壁１３との間の距離を小さく設定したことにより、比較的大きな照明装置を壁間スペースＳ２に設置できない場合であっても、チューブライト４０１であれば壁間スペースＳ２に設置することが可能である。
【００５９】
（第５実施形態）
一般に、建物内では、暖気が上昇し冷気が降下することにより、その上方ほど気温が高くなる。これにより居住者に不快感を与えることが考えられる。特に、居住者が階段により上下階間を昇降する昇降スペースＳ１では、居住者の体感温度の変化が大きく、当該居住者に不快感を与えることが懸念される。
【００６０】
そこで、第５実施形態の階段には、昇降スペースＳ１の上下方向の気温差を低減すべく、壁間スペースＳ２に送風装置が設けられている。
【００６１】
以下、第５実施形態の階段について図７を参照しつつ説明する。図７は、第５実施形態の階段５２０を示す説明図である。
【００６２】
本実施形態の階段５２０は第３実施形態と同様に直線階段である。そこで、本実施形態の説明では、第３実施形態と実質的に同一の構成要素には同実施形態と同一符号を付して、これらの構成要素の説明を省略する。
【００６３】
階段壁１６の壁間スペースＳ２の床面５０１よりも僅か上方には、当該階段壁１６を昇降スペースＳ１側及び壁間スペースＳ２側に貫通する下部給気口５０２が形成されている。階段壁１６の壁間スペースＳ２の天井面３０２よりも僅か下方には、当該階段壁１６を昇降スペースＳ１側及び壁間スペースＳ２側に貫通する上部給気口５０３が形成されている。階段壁１６のうち下部給気口５０２よりも上方かつ上部給気口５０３よりも下方の部分（中間部）には、当該階段壁１６を昇降スペースＳ１側及び壁間スペースＳ２側に貫通する吹き出し口５０４〜５０９が形成されている。本実施形態では、吹き出し口５０４〜５０９は、階段壁１６の各貫通孔２２よりも僅か上方に形成されている。
【００６４】
壁間スペースＳ２には、給気口５０２，５０３と吹き出し口５０４〜５０９を接続するダクト５１０が設けられている。ダクト５１０は、第１ダクト５１１と第２ダクト５１２とを有している。第１ダクト５１１は、その両端が両給気口５０２，５０３に接続されている。第２ダクト５１２は、第１ダクト５１１の下部給気口５０２側の端部５１１ａ、最下段側の吹き出し口５０４から最上段側の吹き出し口５０９までの各吹き出し口５０４〜５０９、及び第１ダクト５１１の上部給気口５０３側の端部５１１ｂに、この順に接続されている。
【００６５】
下部給気口５０２内には、昇降スペースＳ１の下部の空気（冷気）をダクト５１０内に吸引する下方ファン５１３が設けられ、上部給気口５０３内には、昇降スペースＳ１の上部の空気（暖気）をダクト５１０内に吸引する上方ファン５１４が設けられている。第２ダクト５１２のうち下部給気口５０２側の端部５１２ａには下方開閉弁５１５が設けられ、第２ダクト５１２のうち上部給気口５０３側の端部５１２ｂには上方開閉弁５１６が設けられている。ファン５１３，５１４及び開閉弁５１５，５１６の作動は、自動又は手動により制御可能とされている。
【００６６】
上方ファン５１４を回転させるとともに、下方開閉弁５１５を開弁させ、上方開閉弁５１６を閉弁させると、昇降スペースＳ１の上部の空気（暖気）が上部給気口５０３を通してダクト５１０内へ吸入され、吸入された空気がダクト５１０内から吹き出し口５０４〜５０９を通して昇降スペースＳ１へ吹き出される。この場合、上方ファン５１４、ダクト５１０及び吹き出し口５０４〜５０９が「第１送風部」に相当する。
【００６７】
また、下方ファン５１３を回転させるとともに、上方開閉弁５１６を開弁させ、下方開閉弁５１５を閉弁させると、昇降スペースＳ１の上部の空気（冷気）が下部給気口５０２を通してダクト５１０内へ吸入され、吸入された空気がダクト５１０内から吹き出し口５０４〜５０９を通して昇降スペースＳ１へ吹き出される。この場合、下方ファン５１３、ダクト５１０、吹き出し口５０４〜５０９が「第２送風部」に相当する。
【００６８】
以上説明した送風装置によれば、上述の如く昇降スペースＳ１の上部の空気（暖気）又は下部の空気（冷気）をその下方又は上方へ供給することにより、昇降スペースＳ１の上下方向の気温差を低減し、階段５２０の昇降に伴う居住者の体感温度の変化を低減することができる。また、昇降スペースＳ１が設定されたリビング１５の上下方向の気温差の低減を図ることもできる。
【００６９】
特に、吹き出し口５０４〜５０９は踏板２６上に設定されている。そのため、上述の如く昇降スペースＳ１の上部の空気（暖気）又は下部の空気（冷気）を踏板２６上へ供給することにより、踏板面２９の温度を快適なものにすることができる。
【００７０】
ここで、下部給気口５０２を通してダクト５１０内へ吸入した空気（冷気）は当該上部給気口５０２よりも上方へ流れる。そのため、下部給気口５０２から各吹き出し口５０４〜５０９までのダクト５１０内の経路が長くなるほど、その空気の温度は上昇すると考えられる。この点、ダクト５１０では、上述の如く上方開閉弁５１６を開弁させかつ下方開閉弁５１５を閉弁させた状態において、上記ダクト５１０内の経路が上方の吹き出し口までの経路ほど短くなるように設定されている。これにより、昇降スペースＳ１の上方ほど温度の低い空気を供給することができる。
【００７１】
一方、上部給気口５０３を通してダクト５１０内へ吸入した空気（暖気）は当該上部給気口５０３よりも下方へ流れる。そのため、上部給気口５０３から各吹き出し口５０４〜５０９までのダクト５１０内の経路が長くなるほど、その空気の温度は低下すると考えられる。この点、ダクト５１０では、上述の如く下方開閉弁５１５を開弁させかつ上方開閉弁５１６を閉弁させた状態において、上記ダクト５１０内の経路が下方の吹き出し口までの経路ほど短くなるように設定されている。これにより、昇降スペースＳ１の下方ほど温度の高い空気が供給することができる。
【００７２】
そのため、例えば、冬季において上部給気口５０３を通してダクト５１０内へ吸入した空気（暖気）を下方から上方へ環流させつつ、当該空気を昇降スペースＳ１へ供給し、夏季において下部給気口５０２を通してダクト５１０内へ吸入した空気（冷気）を上方から下方へ環流させつつ、当該空気を昇降スペースＳ１へ供給することにより、昇降スペースＳ１及びリビング１５の気温と、踏板面２９の温度とを一層快適なものとすることができる。
【００７３】
以上説明した構成によれば、第１実施形態と同様の有利な効果を得ることができる。特に、壁間スペースＳ２を送風装置の設置スペースとして利用したことから、上述した送風装置の設置に伴う階段５２０の見栄えの悪化を抑制することができる。
【００７４】
（他の実施形態）
以上説明した各実施形態に限らず、例えば以下に別例として示した形態で実施することもできる。
【００７５】
（１）片持ち式の階段に限らず、両持ち式の階段にも適用することができる。例えば、階段壁１６を挟んで耐力壁１３とは反対側に、階段壁１６と対面する間仕切り壁を設けて、踏板２６の昇降スペースＳ１側の端部を上記間仕切り壁に設けた支持部により支持することが考えられる。この場合でも、踏板面２９に加わる荷重を、階段壁１６と、耐力壁１３及び間仕切り壁の少なくとも一方とに分散させることにより、階段壁１６に要求される強度を低減することができる。
【００７６】
（２）上記各実施形態では、階段壁１６の貫通孔２２内に枠体２３を設けて第１支持部とした。しかしながら、これに限られず、例えば、貫通孔２２内に枠体を設けず、貫通孔２２の内壁を第１支持部としてもよいし、貫通孔２２の近傍、例えば階段壁１６の壁間スペースＳ２側の壁面における貫通孔２２の周囲に支持金具などを設けて第１支持部としてもよい。
【００７７】
（３）上記各実施形態では、下地材２７の上部の表面を仕上材２８で覆ったが、下地材２７の表面全体を仕上材２８で覆うようにしてもよい。これにより、踏板２６の表面だけでなく裏面の意匠性も高めることができる。特に、片持ち式の階段では踏板２６の下方が開放されて見栄えがよくなっているので、踏板２６の裏面の意匠性も重要となる。この点において、上述の如く踏板２６の裏面の意匠性を高めることの意義が大きい。
【００７８】
（４）壁間スペースＳ２は、第１実施形態のように棚とするとともに、第３実施形態や第４実施形態のように階段照明装置の設置スペースとして利用してもよい。この場合、階段照明装置を棚の照明装置としても利用することができる。
【００７９】
また、第３実施形態や第４実施形態のように階段照明装置の設置スペースとするとともに、第５実施形態のように送風装置のスペースとして利用してもよい。この場合、階段壁１６に形成される、導光部用の貫通孔（図５（ｂ）の溝部２３ａ参照）及び送風装置の吹き出し口（図７の吹き出し口５０４〜５０９参照）を共通化することができる。例えば、第３実施形態及び第４実施形態の溝部２３ａの内部空間を導光部とするとともに、当該溝部２３ａを吹き出し口とすることができる。
【００８０】
（５）複数の踏板２６を１つのユニットとして連結した踏板ユニットを構成してもよい。これにより、各踏板２６を個別に階段壁１６に設ける場合と比較して、階段施工時の工数削減を図ることができる。
【００８１】
（６）壁間スペースＳ２は、給水管や、排水管、ガス管、電気配線を収容するパイプスペース（設備用空間）とし利用してもよい。この場合、給水管や、排水管、ガス管、電気配線を壁間スペースＳ２に収容することができる。特に、第２〜５実施形態のように壁間スペースＳ２が下階の床面から天井面まで延びている場合には、当該壁間スペースＳ２を有効利用して給水管や排水管、ガス管、電気配線を上下階に通すことができる。
【００８２】
（７）上記第１実施形態では、踏板２６の階段壁１６から壁間スペースＳ２に露出している部分に棚板３５を設けた。すなわち、踏板２６を棚板３５の受け部としたが、踏板２６自体を棚板３５として利用してもよい。
【００８３】
（８）第３，４実施形態では、壁間スペースＳ２に階段照明用の光源（照明装置３０１、チューブライト４０１）を設置した。しかしながら、これに限られず、階段照明用の光源とは別の光源として、例えば太陽光を導光部により昇降スペースＳ１側へ導くようにしてもよい。
【００８４】
（９）第５実施形態において、上部給気口５０３ａを階段壁１６のうち上階の天井面５１７よりも僅か下方に形成し、その上部給気口５０３ａ内に上方ファン５１４ａを設けてもよい（図７参照）。この場合、以下に説明するようにダクト５１０の配管などを変更する必要がある。すなわち、壁間スペースＳ２を下階の天井材や上階の床材で仕切らず上階の天井材で仕切ることにより、壁間スペースＳ２を下階の天井面３０２から上階の天井面５１７まで拡張する。そして、拡張した壁間スペースＳ２にダクト５１０を配管する。上述の如く壁間スペースＳ２を拡張できない場合には、ダクト５１０の一部を壁間スペースＳ２外（上階の床面上）に配管する。それでも、上述の如く上部給気口５０３ａ及び上方ファン５１４ａを天井面５１７付近に設ける構成は、昇降スペースＳ１の上下方向の気温差を一層低減できる点で好ましい。すなわち、第５実施形態の昇降スペースＳ１では、上階の天井面５１７付近の空気の温度が最も高くなる。そのため、昇降スペースＳ１において上階の天井面５１７付近の空気をそれよりも下方へ供給することにより、昇降スペースＳ１の上下方向の気温差を一層低減することができる。
【００８５】
（１０）第５実施形態において、下部給気口５０２を通して吸入した空気を吹き出す吹き出し口（第１吹き出し口）と上部給気口５０３を通して吸入した空気を吹き出す吹き出し口（第２吹き出し口）とをそれぞれ個別に設けるとともに、下部給気口５０２及び第１吹き出し口を接続するダクトと上部給気口５０３及び第２吹き出し口を接続するダクトとをそれぞれ個別に設けてもよい。この場合、ダクトの配管は複雑なものになると考えられるが、第５実施形態の開閉弁５１５，５１６を要さない。
【００８６】
（１１）上記各実施形態では、階段壁１６を、上下階を繋ぐ「面材」とした。しかしながら、これに限られず、面材としてささら桁を採用することもできる。
【００８７】
例えば、図８に示すように、階段壁１６に対応する第１ささら桁６０１と、耐力壁１３に対応する第２ささら桁６０２と、を備えてもよい。図８に示す階段では、階段壁１６の貫通孔２２と同様の貫通孔が第１ささら桁６０１に形成されており、当該貫通孔２２内に枠体２３が設けられている。第２ささら桁６０２は、第１ささら桁６０１から離間した位置で当該第１ささら桁６０１と対面するように立設されている。踏板２６は、枠体２３内に挿通され、一端が第１ささら桁６０１を挟んで第２ささら桁６０２側に配置され、他端が第１ささら桁６０１を挟んで第２ささら桁６０２とは反対側（反第２ささら桁側）に配置されるように延びている。踏板２６の第２ささら桁６０２側の端部は、第２ささら桁６０２に形成された凹部６０２ａに嵌合されている。第１ささら桁６０１及び第２ささら桁６０２の間には、下階の床面６１０の僅かに上方で両ささら桁を接合する下階側接合材６０５と、上階の床面６１１の僅かに下方で両ささら桁を接合する上階側接合材６０６と、が設けられている。そして、第４実施形態と同様に、第１ささら桁６０１に導光部３０３が設けられるとともに、第１ささら桁６０１及び第２ささら桁６０２の間の空間Ｓ２にチューブライト４０１が配設されている。
【００８８】
また、図９（ａ）に示すように、図８に示す階段において、踏板２６の反第２ささら桁側の端部を支持する第３ささら桁６０３を備えてもよい。図９（ａ）に示す階段では、第３ささら桁６０３は、第１ささら桁６０１から反第２ささら桁側へ離間した位置で当該第１ささら桁６０１と対面するように立設されている。そして、踏板２６の第３ささら桁６０３側の端部が、当該第３のささら桁６０３に設けられた凹部６０３ａに嵌合されている。
【００８９】
また、図９（ｂ）に示すように、図９（ａ）に示す階段において、第３ささら桁６０３側にも、第１ささら桁６０１に対応する第４ささら桁６０４を設けてもよい。図９（ｂ）に示す階段では、第１ささら桁６０１の貫通孔２２と同様の貫通孔が第４ささら桁６０４に形成されており、当該貫通孔２２内に枠体２３が設けられている。第３ささら桁６０３及び第４ささら桁６０４の間には、上述した下階側接合材６０５及び上階側接合材６０６と同一の下階側接合材６０７及び上階側接合材６０８が設けられている。そして、第４実施形態と同様に、第４ささら桁６０４に導光部３０３が設けられるとともに、第３ささら桁６０２及び第４ささら桁６０４の間の空間Ｓ３にチューブライト６０９が配設されている。
【００９０】
図８に示す階段構造によれば、階段照明内蔵の片持ち式の階段ユニットを構成することができ、図９（ａ），（ｂ）に示す階段によれば、階段照明内蔵の両持ち式の階段ユニットを構成することができる。これにより、既存の建物において、構造部に大幅な手を入れることなく、既存の階段を踏板面２９や昇降領域を明るく照明可能な階段へ改修することができる。なお、これらの場合、凹部６０２ａ，６０３ａが「第２支持部」に相当する。
【００９１】
（１２）第３，４実施形態の階段３２０，４２０（図５，６参照）において、壁間スペースＳ２に踏板２６が露出しないように踏板２６を階段壁１６だけで支持するようにしてもよい。また、上述した他の実施形態（１１）の階段（図８，９参照）において、ささら桁間の空間Ｓ２や空間Ｓ３に踏板２６を露出させないように踏板２６を第１ささら桁６０１や第４ささら桁６０４だけで支持するようにしてもよい。上記第３実施形態の変形例によれば、照明装置３０１の光が踏板２６に遮られることがない。これにより、照明装置３０１の光により踏板面２９や昇降スペースＳ１を効果的に照明することができる。また、上記第４実施形態の変形例や上記他の実施形態（１１）の変形例によれば、チューブライトの引き回しにおいて踏板２６を迂回させる必要がない。これにより、チューブライトの引き回しを良好に行うことができる。
【図面の簡単な説明】
【００９２】
【図１】第１実施形態に係る建物の概要を示す斜視図。
【図２】階段下部の構造を示す断面図。
【図３】第２実施形態に係る階段の概要を示す説明図。
【図４】同階段の構造を示す断面図。
【図５】第３実施形態の階段を示す説明図。
【図６】第４実施形態の階段を示す説明図。
【図７】第５実施形態の階段を示す説明図。
【図８】他の実施形態の階段を示す説明図。
【図９】他の実施形態の階段を示す説明図。
【符号の説明】
【００９３】
１３…耐力壁（第２面材）、１６…階段壁（面材）、２２…貫通孔、２３…枠体（第１支持部）、２４，２５…角材（第２支持部）、２６…踏板、２７…下地材、２８…仕上材、３５…棚板、２１４…凹部（第２支持部）、３０３…導光部、５０２…下部給気口（下部開口部）、５０３…上部給気口（上部開口部）、５０４〜５０９…吹き出し口、５１３…下方ファン（第２送風部）、５１４…上方ファン（第１送風部）。
【図１】
2009280983.tif 000003
【図２】
2009280983.tif 000004
【図３】
2009280983.tif 000005
【図４】
2009280983.tif 000006
【図５】
2009280983.tif 000007
【図６】
2009280983.tif 000008
【図７】
2009280983.tif 000009
【図８】
2009280983.tif 000010
【図９】
2009280983.tif 000011